【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
コアネットワークノードを介したコアネットワークへの接続性を提供するパケットデータゲートウェイ(PDG)を発見するための発見クエリを生成するステップであって、
前記発見クエリが、発展型パケットデータゲートウェイ(ePDG)タイプと、次世代パケットデータゲートウェイタイプとを含む複数の異なるタイプのPDGから第1のタイプのPDGを選択するラベルを備える、完全修飾ドメインネーム(FQDN)を備え、
前記選択された前記第1のタイプのPDGが、規定された機能をサポートし、
前記選択された前記第1のタイプのPDGが、前記次世代パケットデータゲートウェイタイプを含む、ステップと、
アクセスネットワークを介して、前記発見クエリを送信するステップと、
前記アクセスネットワークを介して、前記規定された機能をサポートする少なくとも1つのPDGを識別するクエリ応答を受信するステップと
を含む方法。
【請求項２】
前記クエリ応答が、前記規定された機能をサポートしない少なくとも1つのPDGを識別する、請求項1に記載の方法。
【請求項３】
前記少なくとも1つのPDGのうちの第1のPDGに、前記アクセスネットワークを介して、セッション要求メッセージを送信するステップと、
前記コアネットワークとのセッションのために、前記UEに割り振られたネットワークアドレスを含むセッション応答メッセージを、前記アクセスネットワークを介して受信するステップと
をさらに含む、請求項1に記載の方法。
【請求項４】
前記アクセスネットワークを介して、前記少なくとも1つのPDGのうちの第1のPDGに、前記第1のPDGを介した前記コアネットワークノードとの接続性を確立するために、アタッチメッセージを送信するステップと、
前記第1のPDGおよび前記アクセスネットワークを介して、前記コアネットワークノードからアタッチ受け入れを受信するステップと
をさらに含む、請求項1に記載の方法。
【請求項５】
前記アタッチメッセージが、セキュアアタッチメントまたは暗示的アタッチメントのいずれかを示す、請求項4に記載の方法。
【請求項６】
前記アタッチメッセージが、暗示的アタッチメント、および前記UEが非アクセス層(NAS)シグナリングをサポートしないことを示す、請求項5に記載の方法。
【請求項７】
前記発見クエリがドメインネームサービス(DNS)クエリを備え、識別子がドメインネーム識別子を備え、前記クエリ応答がDNS応答を備える、請求項1に記載の方法。
【請求項８】
前記クエリ応答に少なくとも部分的に基づいて、前記規定された機能を各々がサポートする前記少なくとも1つのPDGのうちの1つまたは複数のPDGのアドレスのリストを決定するステップ
をさらに含む、請求項1に記載の方法。
【請求項９】
前記コアネットワークとともに前記UEを認証するために、前記少なくとも1つのPDGのうちの第1のPDGを介して、前記コアネットワークノードとの認証手順を実行するステップと、
前記認証手順に少なくとも部分的に基づいて、前記第1のPDGを介して、制御プレーンアドレス指定情報を受信するステップと、
前記制御プレーンアドレス指定情報を使用して、前記第1のPDGにアタッチメッセージを送信することによって、前記UEの再認証なしに、前記コアネットワークノードとのアタッチ手順を実行するステップと
をさらに含む、請求項1に記載の方法。
【請求項１０】
前記制御プレーンアドレス指定情報を使用して、前記アクセスネットワークを介して、前記コアネットワークノードに制御プレーンシグナリングを送信するステップ
をさらに含む、請求項9に記載の方法。
【請求項１１】
前記アタッチ手順を実行するステップが、
前記アクセスネットワークを介して、前記第1のPDGとともにインターネットプロトコルセキュリティ(IPSec)トンネルを確立するステップ
をさらに含む、請求項9に記載の方法。
【請求項１２】
前記認証手順に少なくとも部分的に基づいて、前記コアネットワークノードからトークンを受信するステップと、
前記UEの識別子として、前記アタッチメッセージにおいて前記トークンを送信するステップと
をさらに含む、請求項9に記載の方法。
【請求項１３】
前記アタッチ手順が、前記認証手順中に前記UEのために確立されたセキュリティコンテキストに少なくとも部分的に基づいて、前記UEの再認証なしに実行される、請求項9に記載の方法。
【請求項１４】
前記制御プレーンアドレス指定情報を使用して、前記第1のPDGにセッション要求メッセージを送信するステップであって、前記セッション要求メッセージが、前記コアネットワークとのセッションを確立するための要求を含む、ステップ
をさらに含む、請求項13に記載の方法。
【請求項１５】
前記セッション要求メッセージを送信するステップが、
前記制御プレーンアドレス指定情報に少なくとも部分的に基づいて、インターネットプロトコルセキュリティ(IPSec)トンネルにおいて、ユーザデータグラムプロトコル/インターネットプロトコル(UDP/IP)上で前記セッション要求メッセージを送信するステップ
を含む、請求項14に記載の方法。
【請求項１６】
前記セッションのためのユーザプレーンのネットワークアドレスを備える、セッション応答メッセージを受信するステップ
をさらに含む、請求項14に記載の方法。
【請求項１７】
前記発見クエリの前記FQDNの前記ラベルによって選択された前記次世代パケットデータゲートウェイタイプが、非3GPPインターワーキング機能(N3IWF)タイプを含む、請求項1に記載の方法。
【請求項１８】
ワイヤレス通信のための装置であって、
プロセッサと、
前記プロセッサに結合されたメモリと
を備え、前記プロセッサおよび前記メモリは、
コアネットワークノードを介したコアネットワークへの接続性を提供するパケットデータゲートウェイ(PDG)を発見するための発見クエリを生成することであって、
前記発見クエリが、発展型パケットデータゲートウェイ(ePDG)タイプと、次世代パケットデータゲートウェイタイプとを含む複数の異なるタイプのPDGから第1のタイプのPDGを選択するラベルを備える、完全修飾ドメインネーム(FQDN)を備え、
前記選択された前記第1のタイプのPDGが、規定された機能をサポートし、
前記選択された前記第1のタイプのPDGが、前記次世代パケットデータゲートウェイタイプを含む、生成することと、
アクセスネットワークを介して、前記発見クエリを送信することと、
前記アクセスネットワークを介して、前記規定された機能をサポートする少なくとも1つのPDGを識別するクエリ応答を受信することと
を行うように構成される装置。
【請求項１９】
前記クエリ応答が、前記規定された機能をサポートしない少なくとも1つのPDGを識別する、請求項18に記載の装置。
【請求項２０】
前記プロセッサおよび前記メモリは、
前記少なくとも1つのPDGのうちの第1のPDGに、前記アクセスネットワークを介して、セッション要求メッセージを送信することと、
前記コアネットワークとのセッションのために、UEに割り振られたネットワークアドレスを含むセッション応答メッセージを、前記アクセスネットワークを介して受信することと
をさらに行うように構成される、請求項18に記載の装置。
【請求項２１】
前記プロセッサおよび前記メモリは、
前記アクセスネットワークを介して、前記少なくとも1つのPDGのうちの第1のPDGに、前記第1のPDGを介した前記コアネットワークノードとの接続性を確立するために、アタッチメッセージを送信することと、
前記第1のPDGおよび前記アクセスネットワークを介して、前記コアネットワークノードからアタッチ受け入れを受信することと
をさらに行うように構成される、請求項18に記載の装置。
【請求項２２】
前記プロセッサおよび前記メモリは、
前記クエリ応答に少なくとも部分的に基づいて、前記規定された機能を各々がサポートする前記少なくとも1つのPDGのうちの1つまたは複数のPDGのアドレスのリストを決定すること
をさらに行うように構成される、請求項18に記載の装置。
【請求項２３】
前記プロセッサおよび前記メモリは、
前記コアネットワークとともにUEを認証するために、前記少なくとも1つのPDGのうちの第1のPDGを介して、前記コアネットワークノードとの認証手順を実行することと、
前記認証手順に少なくとも部分的に基づいて、前記第1のPDGを介して、制御プレーンアドレス指定情報を受信することと、
前記制御プレーンアドレス指定情報を使用して、前記第1のPDGにアタッチメッセージを送信することによって、前記UEの再認証なしに、前記コアネットワークノードとのアタッチ手順を実行することと
をさらに行うように構成される、請求項18に記載の装置。
【請求項２４】
前記発見クエリの前記FQDNの前記ラベルによって選択された前記次世代パケットデータゲートウェイタイプが、非3GPPインターワーキング機能(N3IWF)タイプを含む、請求項18に記載の装置。
【請求項２５】
ワイヤレス通信のための装置であって、
コアネットワークノードを介したコアネットワークへの接続性を提供するパケットデータゲートウェイ(PDG)を発見するための発見クエリを生成するための手段であって、
前記発見クエリが、発展型パケットデータゲートウェイ(ePDG)タイプと、次世代パケットデータゲートウェイタイプとを含む複数の異なるタイプのPDGから第1のタイプのPDGを選択するラベルを備える、完全修飾ドメインネーム(FQDN)を備え、
前記選択された前記第1のタイプのPDGが、規定された機能をサポートし、
前記選択された前記第1のタイプのPDGが、前記次世代パケットデータゲートウェイタイプを含む、手段と、
アクセスネットワークを介して、前記発見クエリを送信するための手段と、
前記アクセスネットワークを介して、前記規定された機能をサポートする少なくとも1つのPDGを識別するクエリ応答を受信するための手段と
を含む装置。
【請求項２６】
前記発見クエリの前記FQDNの前記ラベルによって選択された前記次世代パケットデータゲートウェイタイプが、非3GPPインターワーキング機能(N3IWF)タイプを含む、請求項25に記載の装置。
【請求項２７】
ワイヤレス通信のためのコードを記憶した非一時的コンピュータ可読記録媒体であって、前記コードは、プロセッサによって、
コアネットワークノードを介したコアネットワークへの接続性を提供するパケットデータゲートウェイ(PDG)を発見するための発見クエリを生成するステップであって、
前記発見クエリが、発展型パケットデータゲートウェイ(ePDG)タイプと、次世代パケットデータゲートウェイタイプとを含む複数の異なるタイプのPDGから第1のタイプのPDGを選択するラベルを備える、完全修飾ドメインネーム(FQDN)を備え、
前記選択された前記第1のタイプのPDGが、規定された機能をサポートし、
前記選択された前記第1のタイプのPDGが、前記次世代パケットデータゲートウェイタイプを含む、ステップと、
アクセスネットワークを介して、前記発見クエリを送信するステップと、
前記アクセスネットワークを介して、前記規定された機能をサポートする少なくとも1つのPDGを識別するクエリ応答を受信するステップと
を実行可能な命令を含む非一時的コンピュータ可読記録媒体。
【請求項２８】
前記発見クエリの前記FQDNの前記ラベルによって選択された前記次世代パケットデータゲートウェイタイプが、非3GPPインターワーキング機能(N3IWF)タイプを含む、請求項27に記載の非一時的コンピュータ可読記録媒体。